(57)【要約】【課題】予約制にすることで、冷蔵宅配ボックスを確実に利用できるようにするとともに、無駄な冷蔵を止めて冷蔵費用が嵩むのを防止することができる冷蔵宅配ボックスシステムを提供する。【解決手段】宅配ボックス１に扉１１と該扉１１を施解錠する施解錠手段１２を設けた。施解錠手段１２による施錠を解錠する入力操作部２を設けた。入力操作部２からの入力にて施解錠手段１２を解錠する制御部３を設けた。冷蔵予約情報が入力される予約入力部４１を設けると共に冷蔵予約情報を受ける予約受付部４２を設けた。予約受付部４２で受けた冷蔵予約情報に基づいて冷蔵宅配ボックス１ａの利用開始日時より所定時間前に冷蔵手段による予冷を開始すると共に、該冷蔵宅配ボックス１ａに入庫された荷物が取出される際に解錠された後で冷蔵手段による冷蔵を停止する冷蔵ボックス管理制御部４３，Ｓ４を設けた。【選択図】        図１
2004201844.tif 000002
【特許請求の範囲】
【請求項１】
宅配ボックスに開閉自在な扉及び該扉を施解錠する施解錠手段を設けるとともに、前記施解錠手段による施錠を解錠するための入力操作部を設け、前記入力操作部からの入力によって施解錠手段による施錠を解錠する制御部を設け、冷蔵予約情報が入力される予約入力部を設けると共に前記冷蔵予約情報を受ける予約受付部を設け、前記予約受付部で受けた冷蔵予約情報に基づいて冷蔵宅配ボックスの利用開始日時より所定時間前に冷蔵手段による予冷を開始すると共に、該冷蔵宅配ボックスに入庫された荷物が取出される際に解錠された後で冷蔵手段による冷蔵を停止する冷蔵ボックス管理制御部を設けて成ることを特徴とする冷蔵宅配ボックスシステム。
【請求項２】
宅配ボックスに開閉自在な扉及び該扉を施解錠する施解錠手段を設けるとともに、前記施解錠手段による施錠を解錠するための入力操作部を設け、前記入力操作部からの入力によって施解錠手段による施錠を解錠する制御部を設け、前記制御部を通信ネットワークに接続するとともに、冷蔵予約情報が入力される予約入力部を設けた端末部と、前記冷蔵予約情報を受ける予約受付部を設けたサーバー部とを前記通信ネットワークに接続し、前記予約受付部で受けた冷蔵予約情報に基づいて冷蔵宅配ボックスの利用開始日時より所定時間前に冷蔵手段による予冷を開始すると共に、該冷蔵宅配ボックスに入庫された荷物が取出される際に解錠された後で冷蔵手段による冷蔵を停止する冷蔵ボックス管理制御部をサーバー部に設けて成ることを特徴とする冷蔵宅配ボックスシステム。
【請求項３】
冷蔵予約情報が少なくとも開始時刻と冷蔵温度とからなることを特徴とする請求項１又は２記載の冷蔵宅配ボックスシステム。
【請求項４】
冷蔵宅配ボックスの予約時間に応じて課金することを特徴とする請求項１乃至３記載の冷蔵宅配ボックスシステム。
【発明の詳細な説明】
【０００１】
【発明の属する技術分野】
本発明は、冷蔵機能を備えた宅配ボックスに関するものである。
【０００２】
【従来の技術】
従来より、マンションのような集合住宅において、各部屋（即ち集合住宅における各住戸）が共同で利用する宅配ボックスが設置されている（例えば特許文献１参照）。これは、配達先の住人が不在の時に配達者がこの宅配ボックスに荷物を入庫し、住人が帰宅した際に宅配ボックスから荷物を取出して受取るものである。
【０００３】
しかしながら、冷蔵（又は冷凍）を要する荷物をこの宅配ボックスに入庫しておくと荷物が傷むため、冷蔵機能を備えた宅配ボックスが考え出された（例えば特許文献２参照）。これにより、配達先の住人が不在でも冷蔵宅配便などを宅配業者から受取ることが可能となる。
【０００４】
しかしながら、このような冷蔵機能を備えた宅配ボックスにあっては、常に冷蔵しておく必要があるため冷蔵のための費用（電気代）が嵩むとともに、荷物を入庫しようとした時に使用中で入庫できない場合があるものであった。
【０００５】
【特許文献１】
特開平１１−１７８７０４号公報
【特許文献２】
特開平１１−１４６８３０号公報
【０００６】
【発明が解決しようとする課題】
本発明はこのような点に鑑みてなされたものであり、その目的とするところは、予約制にすることで、冷蔵宅配ボックスを確実に利用できるようにするとともに、無駄な冷蔵を止めて冷蔵費用が嵩むのを防止することができる冷蔵宅配ボックスシステムを提供することを課題とするものである。
【０００７】
【課題を解決するための手段】
上記課題を解決するために本発明に係る冷蔵宅配ボックスシステムは、宅配ボックス１に開閉自在な扉１１及び該扉１１を施解錠する施解錠手段１２を設けるとともに、前記施解錠手段１２による施錠を解錠するための入力操作部２を設け、前記入力操作部２からの入力によって施解錠手段１２による施錠を解錠する制御部３を設け、冷蔵予約情報が入力される予約入力部４１を設けると共に前記冷蔵予約情報を受ける予約受付部４２を設け、前記予約受付部４２で受けた冷蔵予約情報に基づいて冷蔵宅配ボックス１ａの利用開始日時より所定時間前に冷蔵手段による予冷を開始すると共に、該冷蔵宅配ボックス１ａに入庫された荷物が取出される際に解錠された後で冷蔵手段による冷蔵を停止する冷蔵ボックス管理制御部４３を設けて成ることを特徴とするものである。このような構成とすることで、冷蔵宅配ボックス１ａを利用したい時に確実に利用できるとともに、無駄な冷蔵を行わなくて済むため冷蔵費用が嵩むのを防止することができる。
【０００８】
また、本発明に係る冷蔵宅配ボックスシステムは、宅配ボックス１に開閉自在な扉１１及び該扉１１を施解錠する施解錠手段１２を設けるとともに、前記施解錠手段１２による施錠を解錠するための入力操作部２を設け、前記入力操作部２からの入力によって施解錠手段１２による施錠を解錠する制御部３を設け、前記制御部３を通信ネットワークＮに接続するとともに、冷蔵予約情報が入力される予約入力部４１を設けた端末部Ｔと、前記冷蔵予約情報を受ける予約受付部４２を設けたサーバー部Ｓとを前記通信ネットワークＮに接続し、前記予約受付部４２で受けた冷蔵予約情報に基づいて冷蔵宅配ボックス１ａの利用開始日時より所定時間前に冷蔵手段による予冷を開始すると共に、該冷蔵宅配ボックス１ａに入庫された荷物が取出される際に解錠された後で冷蔵手段による冷蔵を停止する冷蔵ボックス管理制御部４３，Ｓ４をサーバー部Ｓに設けて成ることを特徴とするものである。このような構成とすることで、冷蔵宅配ボックス１ａを利用したい時に確実に利用できるとともに、無駄な冷蔵を行わなくて済むため冷蔵費用が嵩むのを防止することができ、このような予約を通信ネットワークを通じて遠隔的に行うことができる。
【０００９】
また、冷蔵予約情報が少なくとも開始時刻と冷蔵温度とからなることが好ましい。このような構成とすることで、冷蔵宅配ボックス１ａを所望の温度とすることができる。
【００１０】
また、冷蔵宅配ボックス１ａの予約時間に応じて課金することが好ましい。このような構成とすることで、冷蔵部１５による冷蔵のための経費を利用者が負担する（即ち受益者負担とする）ことができるとともに、不要な冷蔵予約を防止するのに役立つものである。
【００１１】
【発明の実施の形態】
以下、本発明を図に示す実施形態に基づいて説明する。本発明は冷蔵機能を有する宅配ボックスに関するものであるが、まず基本となる一般の宅配ボックスについて説明する。
【００１２】
宅配ボックス１は、マンションのような集合住宅の玄関ホール等に設置されるもので、通常は複数の宅配ボックス１が集まってボックス本体Ｂが形成される。各宅配ボックス１には、図２に示すように、それぞれ開閉自在な扉１１が設けてあるとともに、扉１１に施解錠手段１２が設けてある。施解錠手段１２は、図４に示すように、後述する制御部３により施解錠される電気錠で、扉１１の施錠・解錠状態を検知することができる。また、荷物を宅配ボックス１に入庫して施錠しようとする場合には、施錠セットレバー１３を操作して扉１１を閉めることで施錠が行われる。また、扉の内面側には安全レバー１４が設けてあり、人間が誤って宅配ボックス１内に閉じ込められた時にこの安全レバー１４を操作することで扉が開くようになっている。
【００１３】
また、各宅配ボックス１には、図３に示すように、入力操作部２と、番号表示部２４と、使用状態表示部２５とが設けてある。入力操作部２は、本実施形態では、図に示すように「配達」ボタン２１と、「受取」ボタン２２と、０〜９の各数字からなるテンキー２３とからなり、宅配ボックス１に荷物を入庫する時及び、荷物を取出す時に入力操作が行われる。
【００１４】
番号表示部２４は、本実施形態では図３に示すように４桁の番号が表示されるもので、宅配ボックス１に入庫された荷物の配達先の部屋番号が表示される。使用状態表示部２５は、ＬＥＤ等の発光部からなり、該宅配ボックス１が使用中である時には点灯し、不使用時には消灯する。なお、この使用状態表示部２５は、使用時と不使用時とで異なる色に点灯するようにしてもよく、また、発光部を用いなくとも使用中であるか否かが識別できればどのようなものであってもよい。
【００１５】
また、このような各宅配ボックス１の一部又は全部は、冷蔵機能を備えた冷蔵宅配ボックス１ａとなっているが、これについては後述する。
【００１６】
このような宅配ボックス１が複数設けられるボックス本体Ｂには、捺印装置５が設けられるとともに、上述した各宅配ボックス１の施解錠手段１２、入力操作部２、番号表示部２４、使用状態表示部２５及び前記捺印装置５と後述する冷蔵部１５とを制御する制御部３が設けられる。
【００１７】
捺印装置５は、図５に示すように、番号表示部５１と、伝票挿入口５２と、「確認」ボタン５３及び「取消」ボタン５４とが設けてある。番号表示部５１は、配達先の部屋番号が表示されるもので、伝票挿入口５２は、入れられた伝票に捺印するものである。この捺印装置５は、図に示すようにボックス本体Ｂで一個設けてあるが、各宅配ボックス１に設けてもよい。
【００１８】
ボックス本体Ｂに設けられる制御部３は、上述した施解錠手段１２にて扉１１を施解錠するための錠制御部３１と、冷蔵部１５（後述する）を制御するための冷蔵制御部３２と、捺印装置５を制御する捺印制御部と、本発明における冷蔵予約を外部より受信したりする通信部３３（後述する）とからなる。このような制御部３は、ボックス本体Ｂに全宅配ボックス１を制御する制御部３を一個設けるか、あるいは各宅配ボックス１にそれぞれ制御部３を設けてもよいが、外部に対する送受信を担う通信部３３と、上述した捺印装置５を制御する捺印制御部はボックス本体Ｂに対して一個設けられる。本実施形態では、制御部３はボックス本体Ｂに対して一個設けてあり、更に捺印制御部は錠制御部３１に含まれていて、制御部３は通信部３３と錠制御部３１と冷蔵制御部３２とからなっている。錠制御部３１は、全宅配ボックス１の施解錠手段１２を施解錠することが可能となっており、冷蔵制御部３２は冷蔵機能が付与された宅配ボックス１ａの冷蔵部１５を制御するものである。
【００１９】
次に、この宅配ボックス１において、冷蔵機能の有無にかかわらず基本的な動作である荷物の宅配ボックス１への入庫及び取出しについて説明する。
【００２０】
配達者が荷物を集合住宅に持ってきて、配達先の住人が不在の場合、配達者は、まず、各宅配ボックス１の使用状態表示部２５を見て不使用の表示がなされている宅配ボックス１を探す。そして、この不使用の宅配ボックス１の扉１１を開けて荷物を宅配ボックス１内に入れる。次に、入力操作部２の「配達」ボタン２１を押すと、本実施形態では番号表示部２４が「００００」を表示して点滅を開始し、テンキー２３が入力可能な状態となる。そして、このテンキー２３で、配達先の住人の部屋番号、たとえば１０１号室であれば「１０１」（又は「０１０１」）を入力すると、配達先の部屋番号が番号表示部２４に「０１０１」と表示される。「配達」ボタン２１が押された後は、例えば１分間だけテンキー２３入力が可能となるようにするとともに、テンキー２３も４桁までしか入力できないように錠制御部３１によって制御してもよい。
【００２１】
次に、扉１１に設けてある施錠セットレバー１３をセットする。この時、宅配ボックス１の使用状態表示部２５が使用中を示すようになる。そして、扉１１を閉めると、宅配ボックス１と捺印装置５とが制御部３によって連動制御されて、入力された配達先の部屋番号及び扉１１閉の情報が錠制御部３１から捺印制御部へと送られ（本実施形態では錠制御部３１内で処理され）、捺印装置５の番号表示部２４に配達先の部屋番号「０１０１」が点滅し、「確認」ボタン５３及び「取消」ボタン５４が入力可能な状態となる。この状態においても、例えば一分間でタイムアウトして自動的に動作停止されるように捺印制御部（本実施形態では錠制御部３１）にて制御するようにしてもよい。
【００２２】
捺印制御部（錠制御部３１）によって、入力された配達先の部屋番号が実際に存在するか否かについて調べられ、存在すれば、錠制御部３１によって例えば「ピッピー」という確認音が鳴って扉１１が施錠される。部屋番号が存在しない場合には、入力された配達先の部屋番号が間違っているということでエラー音が鳴って扉１１は施錠されず、入力操作部２は入力不可能な状態となる。そして、捺印装置５の「取消」ボタン５４を押すことで、最初から入庫をやり直すことができる。
【００２３】
次に、捺印装置５の「取消」ボタン５４を押すと、宅配ボックス１の入力操作部２の「受取」ボタン２２が入力待ち状態となり、不在であった配達先の住人が帰って来た時に「受取」ボタン２２を押すことで、後述する取出し動作が開始される。
【００２４】
また、捺印装置５の「取消」ボタン５４を押した際、その番号表示部２４の配達先の部屋番号「０１０１」の点滅が安定点灯に切り換わり、捺印可能な状態となる。伝票に受領印を捺印する場合には、伝票を伝票挿入口５２に挿入することで捺印がなされる。なお、この時、捺印可能となっている時間を、例えば１分間となるように捺印制御部にて制御することが好ましく、これによって捺印がいたずらに行われてしまうのを防止することができる。また、捺印可能な状態を終了すると共に番号表示部２４の部屋番号の表示を終了するようにしてもよい。
【００２５】
以上のようにして、荷物の宅配ボックス１への入庫が完了する。
【００２６】
次に、宅配ボックス１からの荷物の取出しについて説明する。
【００２７】
住人が集合住宅に帰って来ると、自分宛の荷物が宅配ボックス１に入庫されている場合、宅配ボックス１の入力操作部２の番号表示部２４に自分の部屋番号が表示されているため、自分宛の荷物がその宅配ボックス１に入庫されていることを認知する。そして、その宅配ボックス１の入力操作部２の「受取」ボタン２２を押し、続いて入力操作部２のテンキー２３を押して予め登録してある自分の受取用の暗証番号（例えば４桁の番号）を入力する。この時も、上述したように例えば「受取」ボタン２２が押された後１分間でタイムアウトして入力不可となるように錠制御部３１にて制御するようにしてもよい。
【００２８】
そして、テンキー２３で暗証番号が入力されると、その暗証番号が正しいか間違っているかが判定され、間違った暗証番号が入力された場合には例えば「ピピピピ・・・」というエラー音が鳴って「受取」ボタン２２が押される前の制御状態に戻る。正しい暗証番号が入力された場合には、宅配ボックス１で例えば「ピッピー」という確認音が鳴って扉１１が解錠されると共に、使用状態表示部２５が不使用状態を表示するようになり、入力操作部２の「受取」ボタン２２の入力待ち状態が解除されて入力不可の状態となり、「配達」ボタン２１が入力待ち状態となる。そして、番号表示部２４に表示されていた配達先の部屋番号が消灯する。
【００２９】
そして、解錠された扉１１を開けて宅配ボックス１内の荷物を取出し、扉１１を閉めて荷物の取出しが完了する。
【００３０】
このように荷物の入庫及び取出しが行われる宅配ボックス１は、その一部（又は全部）において冷蔵機能を備えた冷蔵宅配ボックス１ａとなっている。
【００３１】
冷蔵機能は、宅配ボックス１の外周に保温材を設けて保温性能を向上させるとともに、宅配ボックス１内を冷蔵（又は冷凍）させるためのヒートポンプのような冷蔵部１５を設けることで宅配ボックス１に付与してある。この冷蔵部１５は、後述する制御部３の冷蔵制御部３２にて制御される。
【００３２】
冷蔵制御部３２は、後述するが、サーバー部Ｓから受信した冷蔵予約情報に基づいて冷蔵宅配ボックス１ａを冷蔵するように冷蔵部１５を制御するもので、使用開始日時に冷蔵宅配ボックス１ａを所定の温度に冷蔵すべく、使用開始日時より一定時間前に予冷を開始すると共に、所定の温度に達するとその温度を保持し、荷物の取出しが行われると冷蔵を停止するよう制御する。
【００３３】
次に、冷蔵宅配ボックス１ａの予約について説明する。これは、上述したような宅配ボックス１に加えて、図６に示すように、制御部３をその通信部３３を介して通信ネットワークＮに接続すると共に、該通信ネットワークＮにサーバー部Ｓと端末部Ｔとを接続したものである。
【００３４】
なお、ここで、通信ネットワークＮとしては、インターネットをはじめ各種ＬＡＮでもよく、また特に通信ネットワークＮを構築せずに単に通信可能に接続したものであってもよい。また、サーバー部Ｓは、集合住宅で所有する固有のものであったり（更にはボックス本体Ｂに設けてあったり）、宅配ボックス１の管理業者等が所有するものであったり特に限定されるものではなく、本実施形態では外部の業者が管理する専用のＷＷＷサーバーに設けてある。また、サーバー部Ｓは、制御部３内に形成してあったり、あるいは制御部３内にサーバー部Ｓを形成してあってもよい。また、端末部Ｔとしては、所謂パソコンや携帯電話のようなモバイル機器等、特に限定されるものではなく、任意に接続可能であれば常時接続されてなくてもよい。また、通信ネットワークＮにおいては情報は分散通信にて通信を行ってもよい。
【００３５】
サーバー部Ｓは、後述する端末部Ｔから受信した冷蔵予約情報に基づいて、宅配ボックス１の制御部３（錠制御部３１及び冷蔵制御部３２）に施解錠や冷蔵の指令を送信するものである。このサーバー部Ｓは、図１に示すように、通信ネットワークＮに接続される通信部Ｓ１と、予約受付部４２，Ｓ２及び予約テーブル部Ｓ３と、冷蔵ボックス管理制御部４３，Ｓ４とからなり、これらは全て冷蔵ボックス管理制御部４３，Ｓ４に接続・管理される。
【００３６】
通信部３３は通信ネットワークＮに対して情報の送受信を行う。予約受付部４２は、端末部Ｔから接続されて端末部Ｔに予約画面を表示させる。端末部Ｔは、予約画面が表示された状態で冷蔵予約情報を入力して送信することができる。なお、予約画面はＨＴＭＬで作成してあって、端末部Ｔの画面にＨＰとして表示される。
【００３７】
冷蔵予約情報としては、冷蔵宅配ボックス１ａの使用開始日時および終了予定日時と、冷蔵（又は冷凍）温度とからなり、これに加えて配達者が入庫する際に扉１１を開けるための入庫用の暗証番号も入力してもよい。また、この入庫用の暗証番号を端末部Ｔから入力しない場合には、入庫用の暗証番号は予め予約テーブル部Ｓ３に登録しておく。
【００３８】
予約テーブル部Ｓ３は、予約受付部４２に送信された端末部Ｔからの冷蔵予約情報（即ち使用開始日時、終了予定日時、冷蔵温度、場合によっては入庫用の暗証番号）を記憶しておく。上述した予約受付部４２は、この予約テーブル部Ｓ３を参照して不使用の冷蔵宅配ボックス１ａを割り当てて端末部Ｔにこの冷蔵宅配ボックス１ａを表示・指定してもよい。また、本実施形態ではサーバー部Ｓに電子メール作成部Ｓ５を設けてあり、予約者が予約した情報（予約してある冷蔵宅配ボックス１ａの番号、入庫用の暗証番号等）を電子メールにて配達者に送信したりすることができる。また、予約した冷蔵宅配ボックス１ａの番号や入庫用の暗証番号は、電話等にて配達者に通知してもよい。
【００３９】
冷蔵ボックス管理制御部４３，Ｓ４は、上述した通信部Ｓ１、予約受付部４２、予約テーブル部Ｓ３、電子メール作成部Ｓ５を制御・管理するとともに、宅配ボックス１の制御部３（錠制御部３１及び冷蔵制御部３２）に冷蔵指令を行う。その詳細は後述するが、錠制御部３１に対しては、荷物が取出された後で指令を送信して施錠し、冷蔵制御部３２に対しては、端末部Ｔから送信された冷蔵予約情報に基づいて、使用開始日時に指定された冷蔵温度となるように使用開始日時以前に予冷を行うように指令を送信したりする。
【００４０】
端末部Ｔは、表示画面（特に図示せず）と通信部Ｔ１と予約入力部４１とを有し、サーバー部Ｓの予約受付部４２にアクセスした際に表示画面に予約画面が表示され、その予約画面において冷蔵予約情報を入力していくものである。
【００４１】
このような冷蔵宅配ボックス１ａの予約、荷物の入庫及び受取り、冷蔵の終了、の一連の動作について説明する。
【００４２】
まず、予約者（即ち配達時に不在予定の住人）が端末部Ｔからサーバー部Ｓの予約受付部４２にアクセスし、冷蔵予約情報（使用開始日時、終了予定日時、冷蔵温度、入庫用の暗証番号）を入力して送信する。予約受付部４２は、受信した冷蔵予約情報を既に予約テーブル部Ｓ３に登録してある冷蔵予約情報を参照して、不使用の冷蔵宅配ボックス１ａを予約して施錠し、予約者にその冷蔵宅配ボックス１ａの番号を通知する。なお、冷蔵温度としては、数値で指定したり、「弱冷」「強冷」や「チルド」「冷凍」等の選択肢の中から選んで指定してもよい。
【００４３】
予約者は、予約情報（即ち予約した冷蔵宅配ボックス１ａ、入庫用の暗証番号）を配達者に電話や電子メール等にて通知する。
【００４４】
サーバー部Ｓでは、冷蔵ボックス管理制御部４３，Ｓ４が宅配ボックス１の冷蔵制御部３２に指令を送信し、使用開始日時の所定時間前に予冷を開始し、使用開始日時に指定された冷蔵温度となるように制御し、これに基づいて宅配ボックス１の冷蔵制御部３２は冷蔵部１５にて冷蔵宅配ボックス１ａを冷蔵する。また、予約された冷蔵宅配ボックス１ａの番号及び入庫用の暗証番号をサーバー部Ｓから宅配ボックス１の錠制御部３１に送信し、前記冷蔵宅配ボックス１ａへの荷物の入庫待ち状態となる。
【００４５】
次に、配達者は、上述した荷物の入庫方法と基本的に同じ方法で冷蔵宅配ボックス１ａに入庫するのであるが、上述した入庫方法と異なるのは、予約された冷蔵宅配ボックス１ａの入力操作部２の「配達」ボタン２１を押すのに続いてテンキー２３にて入庫用の暗証番号を入力する点である。この入庫用の暗証番号を入力するようにしたことで、正規の配達者のみがこの冷蔵宅配ボックス１ａを開扉することができる。その後の配達者の手順は上述した通りである。
【００４６】
次に、受取人（通常は予約した住人）が集合住宅に戻った際、上述した受取方法と同じ方法にて荷物の受取りを行う。荷物の受取り後、施錠セットレバー１３を操作せずに扉１１を閉めてもその所定時間後（例えば３０秒後）に自動施錠される。ここで、冷蔵宅配ボックス１ａに入庫された荷物が取出される際に解錠された時点で、冷蔵ボックス管理制御部４３，Ｓ４が冷蔵部１５に冷蔵を停止する指令を送信して冷蔵を停止させる。なお、荷物を取出して扉１１を閉めた後、施錠された時点で冷蔵を停止するようにしてもよい。
【００４７】
また、終了予定日時を経過しても荷物の受取りが行われなかった場合には、サーバー部Ｓの冷蔵ボックス管理制御部４３，Ｓ４が報知する。報知方法としては、集合住宅の管理人に連絡して荷物を冷蔵宅配ボックス１ａから取出したりしてもよい。
【００４８】
また、予約時間に応じて課金するようにしてもよい。これは、冷蔵予約情報を受付けた時点から冷蔵を停止するまで課金したり、冷蔵部１５の冷蔵時間に応じて課金したり、これらを併用したり、様々な方法がある。これによって、冷蔵部１５による冷蔵のための経費を利用者が負担することとなって受益者負担とするとともに、不要な冷蔵予約を防止するのに役立つものである。
【００４９】
【発明の効果】
上記のように本発明の請求項１記載の発明にあっては、宅配ボックスに開閉自在な扉及び該扉を施解錠する施解錠手段を設けるとともに、前記施解錠手段による施錠を解錠するための入力操作部を設け、前記入力操作部からの入力によって施解錠手段による施錠を解錠する制御部を設け、冷蔵予約情報が入力される予約入力部を設けると共に前記冷蔵予約情報を受ける予約受付部を設け、前記予約受付部で受けた冷蔵予約情報に基づいて冷蔵宅配ボックスの利用開始日時より所定時間前に冷蔵手段による予冷を開始すると共に、該冷蔵宅配ボックスに入庫された荷物が取出される際に解錠された後で冷蔵手段による冷蔵を停止する冷蔵ボックス管理制御部を設けたので、冷蔵宅配ボックスを利用したい時に確実に利用できるとともに、無駄な冷蔵を行わなくて済むため冷蔵費用が嵩むのを防止することができる。
【００５０】
また請求項２記載の発明にあっては、宅配ボックスに開閉自在な扉及び該扉を施解錠する施解錠手段を設けるとともに、前記施解錠手段による施錠を解錠するための入力操作部を設け、前記入力操作部からの入力によって施解錠手段による施錠を解錠する制御部を設け、前記制御部を通信ネットワークに接続するとともに、冷蔵予約情報が入力される予約入力部を設けた端末部と、前記冷蔵予約情報を受ける予約受付部を設けたサーバー部とを前記通信ネットワークに接続し、前記予約受付部で受けた冷蔵予約情報に基づいて冷蔵宅配ボックスの利用開始日時より所定時間前に冷蔵手段による予冷を開始すると共に、該冷蔵宅配ボックスに入庫された荷物が取出される際に解錠された後で冷蔵手段による冷蔵を停止する冷蔵ボックス管理制御部をサーバー部に設けたので、冷蔵宅配ボックスを利用したい時に確実に利用できるとともに、無駄な冷蔵を行わなくて済むため冷蔵費用が嵩むのを防止することができ、このような予約を通信ネットワークを通じて遠隔的に行うことができる。
【００５１】
また請求項３記載の発明にあっては、請求項１又は２記載の発明の効果に加えて、冷蔵予約情報が少なくとも開始時刻と冷蔵温度とからなるので、冷蔵宅配ボックスを所望の温度とすることができる。
【００５２】
また請求項４記載の発明にあっては、請求項１乃至３のいずれかに記載の発明の効果に加えて、冷蔵宅配ボックスの予約時間に応じて課金するので、冷蔵部による冷蔵のための経費を利用者が負担する（即ち受益者負担とする）ことができるとともに、不要な冷蔵予約を防止するのに役立つものである。
【図面の簡単な説明】
【図１】本発明の一実施形態の構成図である。
【図２】同上のボックス本体の概略正面図である。
【図３】同上の宅配ボックスの操作部の拡大図である。
【図４】同上の宅配ボックスの施解錠手段の拡大図である。
【図５】同上の捺印装置の拡大図である。
【図６】ボックス本体、端末部、サーバー部の通信ネットワークを介して接続された状態の説明図である。
【符号の説明】
１  宅配ボックス
１ａ  冷蔵宅配ボックス
１１  扉
１２  施解錠手段
２  入力操作部
３  制御部
４１  予約入力部
４２  予約受付部
４３  冷蔵ボックス管理制御部
【図１】
2004201844.tif 000003
【図２】
2004201844.tif 000004
【図３】
2004201844.tif 000005
【図４】
2004201844.tif 000006
【図５】
2004201844.tif 000007
【図６】
2004201844.tif 000008